(57)【特許請求の範囲】
【請求項１】
掌皮を横断する方向に紐状補強部材Ａを複数設け、
掌皮を縦断する方向に指部まで紐状補強部材Ｂを複数設けた防刃手袋であって、前記紐状補強部材ＡおよびＢが、幅方向に配置した複数のワイヤーを内方に織り込んだバンド状部材であり、前記紐状補強部材Ｂのワイヤーを前記紐状補強部材Ａのワイヤーと比べ細径とした、ならびに、前記複数設けた紐状補強部材Ｂのうち、中指に対応する紐状補強部材Ｂは中指の指先から掌部を経て親指の指先にかけて連続して設けた、警棒や拳銃を握ることができる防刃手袋。
【請求項２】
前記ワイヤーが撚線であることを特徴とする請求項１に記載の防刃手袋。
【請求項３】
幅方向に配置した複数のワイヤーを内方に織り込んだバンド状部材である紐状補強部材Ｃを、甲皮を縦断する方向に指部まで複数設けたことを特徴とする請求項１または２に記載の防刃手袋。
【請求項４】
右手または左手の人指し指に紐状補強部材Ｂおよび紐状補強部材Ｃを設けないことを特徴とする請求項３に記載の防刃手袋。
【請求項５】
前記紐状補強部材Ｃの間に幅方向に配置した複数のワイヤーを内方に織り込んだバンド状部材である紐状補強部材Ｄを複数設け、前記紐状補強部材Ｄのワイヤーを前記紐状補強部材Ｃのワイヤーと比べ太径としたことを特徴とする請求項３または４に記載の防刃手袋。
【請求項６】
親指の付け根から第一関節にかけて親指の第一関節の動きを損なわないように、幅方向に配置した複数のワイヤーを内方に織り込んだバンド状部材である紐状補強部材Ｅを設け、前記紐状補強部材Ｅのワイヤーを前記紐状補強部材Ｃのワイヤーと比べ太径としたことを特徴とする請求項１ないし５のいずれか一項に記載の防刃手袋。
【請求項７】
手首部から開口部にかけて補強部材が設けられた前腕部を備えることを特徴とする請求項１ないし６のいずれか一項に記載の防刃手袋。
【請求項８】
前腕部に設けられた前記補強部材が、複数の板状補強部材と、板状補強部材の間に設けられた複数の紐状補強部材Ｆとから構成されることを特徴とする請求項７に記載の防刃手袋。
【発明の詳細な説明】
【技術分野】
【０００１】
本発明は、ナイフ、包丁あるいは日本刀等の刃物からの攻撃を防御するための防刃手袋に関する。
【背景技術】
【０００２】
最近の凶悪犯罪では、凶器としてナイフ、包丁、あるいは日本刀の刃物が使用される場合があり、その攻撃から手を防御するために防刃手袋が用いられている。
【０００３】
鋭利な刃物等で警察官（機動隊員）の公務の執行を妨害する無法者等から手を防護する手袋体を得ることを目的とした防刃手袋が開示されている。例えば、警察官（機動隊員）の手を凶刃から護る手段として、特殊繊維を重合し手袋形状に裁断した各指及び掌、手の甲の略中央部位に金属製連鎖状の鎖体を縫着し、該鎖体を縫着した２枚の鎖付重合布の片面体の上部へ特殊繊維を重合した他面体を重層状に合着縫製し、内部に鎖体をサンドイッチ状に挟み込んだものがある（特許文献１参照）。
【０００４】
また、手袋本体の適宜の部位に鎖を両面接着テープで接着した後、当該鎖を手縫いで手袋本体に縫い付けてなる構成である。また、手袋本体の適宜の部位に取付生地を押し当て、鎖より幅広の間隔で並行に縫い糸を縫い付けて、当該取付生地を手袋本体に縫着した後、当該各縫い糸間に鎖を挿通した防刃手袋がある（特許文献２参照）。
【０００５】
【特許文献１】特開平８−２９１４０５号公報
【特許文献２】特開２００３−２７３１４号公報
【発明の開示】
【発明が解決しようとする課題】
【０００６】
防刃手袋の防御性能と可動性は相反する関係にある。すなわち、鎖体等の補強部材により防御性能を高めると可動性が損なわれることとなり、他方で補強部材を少なくすると防御性能は低下する。
特許文献１に記載された防刃手袋は、鎖体を設けることにより防御性能を高めているが、鎖体を設けることにより可動性が損なわれるという課題を解決するものではない。
特許文献２に記載された防刃手袋は、１つの指を２本の鎖で補強しているため、防御性能は高いものの、可動性は極めて悪いと考えられる。
また、これらの防刃手袋は、鎖体を布地に縫製することが難しかった。
【０００７】
また、発明者の知る限りにおいては、従来、前腕部を防御することのできる防刃手袋はなかった。前腕部の保護をはかと手首の可動性が損なわれるが、手首の可動性を損なわないことも解決すべき課題である。
【０００８】
上記課題を解決するために、本発明は、高い防御性能を有し、且つ、高い可動性を備える防刃手袋を提供することを目的とする。
【課題を解決するための手段】
【０００９】
第１の発明は、掌皮を横断する方向に紐状補強部材Ａを複数設け、
掌皮を縦断する方向に指部まで紐状補強部材Ｂを複数設けた防刃手袋であって、前記紐状補強部材ＡおよびＢが、幅方向に配置した複数のワイヤーを内方に織り込んだバンド状部材であり、前記紐状補強部材Ｂのワイヤーを前記紐状補強部材Ａのワイヤーと比べ細径とした、ならびに、前記複数設けた紐状補強部材Ｂのうち、中指に対応する紐状補強部材Ｂは中指の指先から掌部を経て親指の指先にかけて連続して設けた、警棒や拳銃を握ることができる防刃手袋である。指部の動きに応じて屈曲される紐状補強部材Ｂのみを紐状補強部材Ａのワイヤーと比べ細径で構成することにより、防御性能を高めながら可動性が損なわれるのを最小限としている。
第２の発明は、第１の発明において、前記ワイヤーが撚線である。
第３の発明は、第１または２の発明において、幅方向に配置した複数のワイヤーを内方に織り込んだバンド状部材である紐状補強部材Ｃを、甲皮を縦断する方向に指部まで複数設けたことを特徴とする。甲皮に設ける補強部材についても、指部に至る補強部材Ｃは細い紐状部材で構成することにより、可動性が損なわれるのを最小限としている。
第４の発明は、第３の発明において、右手または左手の人指し指に紐状補強部材Ｂおよび紐状補強部材Ｃを設けないことを特徴とする。人指し指については、拳銃の引き金を引く等、繊細な動きが要求されるため、補強部材を設けないことで可動性が最大限となるようにしている。
第５の発明は、第３または４の発明において、前記紐状補強部材Ｃの間に幅方向に配置した複数のワイヤーを内方に織り込んだバンド状部材である紐状補強部材Ｄを複数設け、前記紐状補強部材Ｄのワイヤーを前記紐状補強部材Ｃのワイヤーと比べ太径としたことを特徴とする。甲皮に設ける補強部材のうち、指部に至らない補強部材Ｄについては可動性への影響が小さいため、太い紐状部材で構成することにより防御性能を高めている。
第６の発明は、第１ないし５のいずれかの発明において、親指の付け根から第一関節にかけて親指の第一関節の動きを損なわないように、幅方向に配置した複数のワイヤーを内方に織り込んだバンド状部材である紐状補強部材Ｅを設け、前記紐状補強部材Ｅのワイヤーを前記紐状補強部材Ｃのワイヤーと比べ太径としたことを特徴とする。
第７の発明は、第１ないし６のいずれかの発明において、手首部から開口部にかけて補強部材が設けられた前腕部を備えることを特徴とする。補強部材を掌皮および甲皮と別部材とすることにより、手首部の可動性が損なわれるのを最小限としている。
第８の発明は、第７の発明において、前腕部に設けられた前記補強部材が、複数の板状補強部材と、板状補強部材の間に設けられた複数の紐状補強部材Ｆとから構成されることを特徴とする。前腕部については、可動性への影響が小さいため、板状補強材を設けることで防御性能を高めている。
【発明の効果】
【００１０】
本発明によれば、高い防御性能を有し、且つ、高い可動性を備える防刃手袋を提供することができる。
【発明を実施するための最良の形態】
【００１１】
最良の形態の本発明は、掌皮と甲皮に太さの異なる紐状補強部材を設けた防刃手袋であって、掌皮を横断する方向に太い紐状補強部材Ａを複数設け、掌皮を縦断する方向に指部まで細い紐状補強部材Ｂを複数設けた防刃手袋であり、好ましくは、甲皮を縦断する方向に指部まで細い紐状補強部材Ｃを複数設け、より好ましくは、前記紐状補強部材Ｃの間に太い紐状補強部材Ｄを複数設けることを特徴とする。
掌皮を縦断する方向に設けた紐状補強部材Ｂのうち、人指し指と中指に対応するものについては、端部が親指に位置するように屈曲させてもよい。
【００１２】
可動性を高めるために、右手または左手の人指し指に紐状補強部材Ｂおよび紐状補強部材Ｃを設けない構成としてもよい。また、親指の第一関節の動きを損なわないように親指の付け根から第一関節にかけて太い紐状補強部材Ｅを設ける構成としてもよい。
【００１３】
さらに、前腕部の防御性能を高めるために、手首部から開口部にかけて補強部材が設けられた前腕部を備える構成とするのが好ましい。ここで、前腕部に設けられた前記補強部材は、複数の板状補強部材と、板状補強部材の間に設けられた複数の紐状補強部材とから構成される。
【００１４】
甲皮および掌皮の生地は、高強力で耐切創性を有し、且つ熱に強い公知の繊維（例えば、アラミド繊維）により構成される。
紐状補強部材は、公知の金属により構成することができるが、鎖体ではなくワイヤーを用いるのが好ましい。鎖体を用いた場合、布部材の内方に織り込むことが難しいからである。より好ましくは、複数の撚線ワイヤーを織り込んだバンド状部材により紐状補強部材を構成する。ちなみに、鎖体を幅方向に複数配置すると可動性が極端に悪くなるため、幅方向に防御性能を高めることは困難である。
板状補強部材は、金属や強化プラスチック等の軽量で頑丈な素材により構成される。
【００１５】
本発明の防刃手袋においては、次のことが考慮されている。
（１）指先にふくらみ・ねじれ等が生じないものである構造であること
（２）通常の使用で生地のほつれ・縫い目のほつれが生じない構造であること
（３）立体裁断とすることにより、警棒や拳銃等が無理なく握ることができる構造であること
【００１６】
以下では、発明を実施するための最良の形態を実施例で説明するが、本発明は実施例に何ら限定されるものではない。
【実施例１】
【００１７】
[防刃手袋１の全体構成]
図１は右手を甲側と掌側からみた全体図であり、図２は左手を甲側と掌側からみた全体図である。防刃手袋１は、掌部２と前腕部６とからなる。
【００１８】
（ア）掌部２
掌部２は、甲皮３と、掌皮４と、を主たる構成要素とする。図１および２中、点線部分については、細径のワイヤー群９を示しており、太い実線部分については、太径のワイヤー群１０を示している。
【００１９】
甲皮３は、親指と人差し指を除いた手の甲と同形であり、後述する強化繊維により構成される。
掌皮４は、親指を除いた掌と同形であり、後述する強化繊維により構成される。
【００２０】
滑り止め部材５は、甲皮３と掌皮４とにそれぞれ設けられている。本実施例においては、滑り止め部材５は、図１および図２に示すように、甲皮３に対して指先部分と人差し指の側面端部に設けられ、掌皮４に対して指先部分と第２指関節から掌部にかけて設けられている。なお、滑り止め部材５を設ける位置は、用途に応じて適宜変更される設計事項である。
【００２１】
（イ）前腕部６
前腕部６は、前腕皮６１と、開口部７と、ファスナー８とを主たる構成要素とする。
前腕皮６１は、手首から肘にかけての前腕部を保護するための強化繊維により構成される。前腕皮６１は、手首や肘の屈曲や回転に支障をきたさない程度の寸法にする必要があるため、手首側から開口部７側に向かって広がりを持つ形状を有している。
なお、寸法については、適宜変更可能であるが、腕への装着に関しては、容易に脱着でき、かつ、安定した装着感が得られる寸法にすることが好ましい。
【００２２】
前腕皮６１の略中央部分には、ファスナー８が設けられている。防御性能を高めるためには、ファスナー８を金属等の頑丈な素材により構成するのが好ましい。なお、ファスナー８の代わりに、例えば、面状ファスナーで前腕部６を締めるか、ストラップとバックルのような構造等を使用してもよい。
【００２３】
[防刃手袋の素材]
次に、本実施例に係る甲皮３、掌皮４、滑り止め部材５、前腕皮６１、開口部７、ファスナー８に使用されている素材について説明する。
【００２４】
甲皮３および前腕皮６１には、表生地にエーテル系ポリウレタン（高性能スパンデックス系）、裏側に４０／１綿１００％のメリヤス地（ビスタ社のライクラ（登録商標））を使用した。
掌皮４には、ナイロン６０％・ポリウレタン４０％の人工皮革０．５ｍｍを使用した。
【００２５】
甲皮３および掌皮４の裏生地には、耐切創性に強い高強力ポリアリレート繊維・２０／１Ｓ・ニット２０Ｇ（クラレ社のベクトラン（登録商標）およびソフィスタ（登録商標））を使用した。
【００２６】
前腕皮６１の裏地には、合成繊維でありながら繊維表面が水になじみやすいエチレンビニルアルコール１００％・強度８４ｄｔｅｘのトリコット素材（旭化成せんい（株）のベンベルグ（登録商標））を使用した。
前腕皮６１の内側には、衝撃吸収部材として、密度が０．３５±０．０５／ｃｍ３のアクリルフォーム（厚さ２ｍｍのフィットセル生地）が取り付けられている。
【００２７】
滑り止め部材５は、湿式のポリウレタン合成皮革を使用した。
開口部７の縁には、ポリウレタン合成皮革からなる縁取りテープが縫い付けられている。
ファスナー８は、♯５ビスロンを使用した。
【００２８】
[バンド状補強部材]
バンド状補強部材は、凶刃による切り付け等の攻撃から掌部および前腕部を防御するための部材であり、幅狭部材１１と幅広部材１２の２種類がある。幅広部材１２は、防御性能を必要とする部位に用いられ、幅狭部材１１は、指部などの可動性の高い部位に用いられる。
幅狭部材１１と幅広部材１２には、綾竹織を重合したバンドの内方にワイヤー群９，１０が配置されている。本実施例では、１本のワイヤーを太くすることで強度を出すのではなく、複数のワイヤーにより強度を出すことで、可動性を高めている。幅狭部材１１に配置されるワイヤー群９は、図４に点線で示す如く幅方向に略等間隔に配置される。
本実施例に係るバンド状補強部材１１，１２の構成を表１に示す。
【００２９】
【表１】
0004845907.tif 000002
【００３０】
バンド状補強部材１１，１２に用いられるワイヤー群９，１０は、撚線（stranded conductor）のワイヤー群である。ワイヤーを撚線としたのは、撚っていないワイヤーと比較して切創力が高いからである。また、単線を撚り合わせて強度を出すことにより、単線により強度を出す場合と比べ、可動性が損なわれることを最小限にしている。なお、本実施例では、撚り数を１９本としているが、これに限定されない。
幅狭部材１１は、細径のワイヤーを４本配置することにより、最低限の防御性能を発揮しながら、可動性を高めている。幅狭部材１１は、可動性が求められる指部等に用いられる。
幅広部材１２は、太径のワイヤーを１０本配置することにより、防御性能を高めている。幅広部材１２は、可動性に影響の無い部位に用いられる。
なお、幅狭部材１１および幅広部材１２に配置するワイヤーの本数は、手袋のサイズや用途等に応じて適宜変更可能である。
【００３１】
[板状補強部材]
本実施例の板状補強部材は、前腕部６を防御するためのアルミ板であり、大板部材１４と小板部材１５の２種類がある。板状補強部材は、防御性能は高いものの、可動性が損なわれるため、本実施例では前腕部６にのみ配置した。なお、板状補強部材は全て同形としてもよい。
本実施例に係る大板部材１４と小板部材１５の構成を表２に示す。
【００３２】
【表２】
0004845907.tif 000003
【００３３】
[各補強部材の配置]
バンド状補強部材１１，１２および板状補強部材１４，１５の配置を、図３を参照しながら説明する。図３は甲側と掌側における右手の補強部材の配置の説明図である。なお、左手の補強部材については、幅狭部材１１が左手の人差し指に設けられているという点を除き右手の補強部材の配置と同一である。
【００３４】
甲皮３には、幅狭部材１１が人差し指から小指の間に縦方向に４本設けられている。ただし、右手の人指し指については、指の付け根部分から指先部分にかけて補強部材１１は設けられてない。
また、幅狭部材１１の間には幅広部材１２が縦方向に３本設けられている。
親指には、幅狭部材１１が、指先側から指の付け根側にかけて２本設けられており、幅広部材１２が、第一関節部から指の付け根側にかけて１本設けられている。
【００３５】
掌皮４には、縦方向に、幅狭部材１１が６本（長片４本、短片２本）設けられており、横方向に、幅広部材１２が５本設けられている。
薬指および小指に対応する幅狭部材１１は、指先から手首部にかけて設けられている。
中指に対応する幅狭部材１１は、指先から親指の指先にかけて設けられている。
人指し指に対応する幅狭部材１１は、右手は、人指し指の付け根部分から親指の指先にかけて設けられており、左手は、人指し指の指先から親指の指先にかけて設けられている。
親指の付け根部分から手首にかけて短片の幅狭部材１１が２本設けられている。
【００３６】
親指には、幅狭部材１１Ｅが、指先側から指の付け根側に向かって２本設けられており、幅広部材１２Ｅが、第一関節部から指の付け根側に向かって１本設けられている。
【００３７】
前腕皮６１の甲側には、４本の幅狭部材１１と４枚の大板部材１４とが縦方向に設けられており交互に取り付けられている。
前腕皮６１の掌側には、４本の幅狭部材１１と２枚の小板部材１５とが設けられており、２枚の小板部材１５が４本の幅狭部材１１を挟み込むように取り付けられている。本実施例では、前腕皮６１に幅狭部材１１を用いたが、前腕部６は高い可動性を要求されない部位であることから、防御性能を高めるために幅広部材１２を用いて構成してもよい。
なお、補強に用いる幅狭部材１１および幅広部材１２の本数、並びに、大板部材１４および小板部材１５の枚数は、手袋のサイズや用途等に応じて適宜変更可能である。
【００３８】
[縫製方法]
防刃手袋１の縫製方法について説明する。縫い目は約２５ｍｍ間に９〜１２針を標準としている。また、縫い代は３ｍｍ程度とし、各部分によって適した縫い代長さに変更可能である。さらに、縫いはじめ及び縫い終わりには、返し縫いを施したものとしている。
また、ワイヤー押さえ部分、滑り止め部材５が設けられている部分および縁取りテープ部分を除いて、内縫いを施したものとしている。さらに、掌部２における手首部分と前腕部６とは、切り返しを施したものとする。
【００３９】
滑り止め部材５には、手を握った時などに滑り止め部材５が浮かないように押さえ縫いが施されている。
前腕皮６１には、板状補強部材１４，１５の横方向の移動を防ぐために縦止め縫いが施されている。
なお、本実施例では、耐切創性に強いパラ系アラミド縫い糸（パラ系アラミド♯２０／１・ポリエステル♯３０）を使用している。
【００４０】
[実施例の効果]
以上に述べた本実施例の防刃手袋は、掌部および前腕部の防御性能を高めることができるとともに、可動性に優れた防刃手袋である。
すなわち、指部には幅狭部材を用いることで、防御性能を高めつつも指部の可動性が損なわれるのを最小限としている。また、甲皮は、可動性の影響が掌被に比べ小さいため、幅広部材を幅狭部材の間に配置することで、防御性能を高めている。掌皮は、物を掴んだりする際に可動性が求められる部位であるため、幅広部材を横方向にのみ設けている。前腕皮は、可動性の影響が最も小さいため、板状補強部材を使用することにより防御性能を高めている。
また、バンド状部材を用いる構造上、縫製が容易であり、任意の箇所を補強することが可能である。
【図面の簡単な説明】
【００４１】
【図１】実施例に係る防刃手袋の右手部分を甲側と掌側から見たときの説明図である。
【図２】実施例に係る防刃手袋の左手部分を甲側と掌側から見たときの説明図である。
【図３】実施例に係る防刃手袋の右手部分における補強部材の配置位置を甲側と掌側から見たときの説明図である。
【図４】実施例に係る幅狭のバンド状補強部材の説明図である。
【符号の説明】
【００４２】
１  防刃手袋
２  掌部
３  甲皮
４  掌皮
５  滑り止め部材
６  前腕部
７  開口部
８  ファスナー
９  細径ワイヤー群
１０  太径ワイヤー群
１１  幅狭のバンド状補強部材（幅狭部材）
１２  幅広のバンド状補強部材（幅広部材）
１４  大板状補強部材（大板部材）
１５  小板状補強部材（小板部材）
６１  前腕皮
【図１】
0004845907.tif 000004
【図２】
0004845907.tif 000005
【図３】
0004845907.tif 000006
【図４】
0004845907.tif 000007